【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
物体を搬送経路を介して搬送し、排出部へ排出する搬送部と、
光を反射する反射部と、
前記反射部が位置する方向に向けて光を照射する発光部と、
前記反射部から反射された光を含む外部からの光を受け付ける受光部と、
を有する検出装置であって、
前記受光部によって受け付けられた光に基づく出力値を取得する取得手段と、
前記反射部によって反射されてから前記受光部に受け付けられるまでの光の経路の少なくとも一部を、前記搬送により通過する前記物体を、前記出力値に基づいて検出する第１検出手段と、
前記反射部による光の反射率が低下していることを、前記物体が前記搬送経路上で停止している間に前記受光部によって受け付けられた光に基づく少なくとも一部の前記出力値に基づかず、前記物体が前記搬送経路上で移動している間に前記受光部によって受け付けられた光に基づく前記出力値に基づいて検出する第２検出手段と、
を有することを特徴とする検出装置。
【請求項２】
前記反射部による光の反射率が低下していることが前記検出手段によって検出されたことに基づいて、所定の処理を実行する実行手段と、をさらに有することを特徴とする請求項１に記載の検出装置。
【請求項３】
前記所定の処理は、前記反射部による光の反射率の低下を回復させるための処理であることを特徴とする請求項２に記載の検出装置。
【請求項４】
前記反射部による光の反射率の低下を回復させるための処理は、前記反射部に関するユーザへの通知処理、及び前記反射部を清掃するための清掃処理のうち少なくとも一方を含むことを特徴とする請求項３に記載の検出装置。
【請求項５】
前記通知処理は、前記反射部の清掃を促すための画面を表示部に表示する処理であることを特徴とする請求項４に記載の検出装置。
【請求項６】
前記発光部が光を照射しており、且つ前記光の経路を前記物体が通過していない状態で前記受光部によって受け付けられる光に基づく第１出力値が、規定値になるように制御する制御手段と、を有し、
前記反射部による光の反射率が低下していることが、前記第１出力値が前記規定値になるように制御された状態で前記発光部が光を照射しており、且つ前記物体が搬送経路上で移動している間に前記受光部によって受け付けられた光に基づく第２出力値に基づいて検出されることを特徴とする請求項１乃至５のいずれか１項に記載の検出装置。
【請求項７】
前記発光部によって照射される光の光量を上げる処理、及び、前記受光部の光の感度を上げる処理のうち少なくとも一方が実行されることで、前記第１出力値が前記規定値になるように制御されることを特徴とする請求項６に記載の検出装置。
【請求項８】
前記経路の少なくとも一部を前記搬送により通過する前記物体が、前記第２出力値に基づいて検出されることを特徴とする請求項６又は７に記載の検出装置。
【請求項９】
前記第２出力値が、所定の閾値に達したことに基づいて、前記反射部による光の反射率が低下していることが検出される請求項６乃至８のいずれか１項に記載の検出装置。
【請求項１０】
前記第２出力値が、前記所定の閾値に対応する光量より大きい光量に対応する特定の閾値に達したことに基づいて、前記経路の少なくとも一部を前記搬送により通過する前記物体が検出される請求項９に記載の検出装置。
【請求項１１】
前記反射手段による光の反射率が低下していることを、前記物体が前記搬送経路上で停止している間に前記受光部によって受け付けられた光に基づく少なくとも一部の前記出力値の出力を停止することで、前記物体が前記搬送経路上で停止している間に前記受光部によって受け付けられた光に基づく少なくとも一部の前記出力値に基づかずに検出することを特徴とする請求項１乃至１０のいずれか１項に記載の検出装置。
【請求項１２】
前記物体が前記搬送経路上で停止している間に取得される前記出力値の少なくとも一部を、前記反射部による光の反射率が低下していることの検知において参照しないことで、前記物体が搬送経路上で停止している間に前記受光部によって受け付けられた光に基づく少なくとも一部の前記出力値に基づかずに、前記反射部による光の反射率が低下していることを検出することを特徴とする請求項１乃至１０のいずれか１項に記載の検出装置。
【請求項１３】
前記物体は、記録媒体であることを特徴とする請求項１乃至１２のいずれか１項に記載の検出装置。
【請求項１４】
記録剤によって前記記録媒体に画像を形成する画像形成手段をさらに有することを特徴とする請求項１３に記載の検出装置。
【請求項１５】
前記記録剤はインクであり、
前記記録媒体は紙であることを特徴とする請求項１４に記載の検出装置。
【請求項１６】
前記記録媒体上に付加された前記記録剤を定着させるための処理、前記記録媒体のカールを抑制するための処理、及び両面印刷のために前記記録媒体を反転させる処理のうち少なくとも１つが実行されることで、前記記録媒体が前記搬送経路上で停止することを特徴とする請求項１４又は１５に記載の検出装置。
【請求項１７】
物体を搬送経路を介して搬送し、排出部へ排出する搬送部と、
光を反射する反射部と、
前記反射部が位置する方向に向けて光を照射する発光部と、
前記反射部から反射された光を含む外部からの光を受け付ける受光部と、
を有する検出装置の制御方法であって、
前記受光部によって受け付けられた光に基づく出力値を取得する取得ステップと、
前記反射部によって反射されてから前記受光部に受け付けられるまでの光の経路の少なくとも一部を、前記搬送により通過する前記物体を、前記出力値に基づいて検出する第１検出ステップと、
前記反射部による光の反射率が低下していることを、前記物体が搬送経路上で停止している間に前記受光部によって受け付けられた光に基づく少なくとも一部の前記出力値に基づかず、前記物体が前記搬送経路上で移動している間に前記受光部によって受け付けられた光に基づく前記出力値に基づいて検出する第２検出ステップと、
を有することを特徴とする制御方法。
【請求項１８】
物体を搬送経路を介して搬送し、排出部へ排出する搬送部と、
光を反射する反射部と、
前記反射部が位置する方向に向けて光を照射する発光部と、
前記反射部から反射された光を含む外部からの光を受け付ける受光部と、
を有する検出装置のコンピュータに、
前記受光部によって受け付けられた光に基づく出力値を取得する取得ステップと、
前記反射部によって反射されてから前記受光部に受け付けられるまでの光の経路の少なくとも一部を、前記搬送により通過する前記物体を、前記出力値に基づいて検出する第１検出ステップと、
前記反射部による光の反射率が低下していることを、前記物体が搬送経路上で停止している間に前記受光部によって受け付けられた光に基づく少なくとも一部の前記出力値に基づかず、前記物体が前記搬送経路上で移動している間に前記受光部によって受け付けられた光に基づく前記出力値に基づいて検出する第２検出ステップと、
を実行させることを特徴とするプログラム。
【手続補正２】
【補正対象書類名】明細書
【補正対象項目名】０００６
【補正方法】変更
【補正の内容】
【０００６】
上述の課題を解決するために本発明の検出装置は、
物体を搬送経路を介して搬送し、排出部へ排出する搬送部と
光を反射する反射部と、
前記反射部が位置する方向に向けて光を照射する発光部と、
前記反射部から反射された光を含む外部からの光を受け付ける受光部と、
を有する検出装置であって、
前記受光部によって受け付けられた光に基づく出力値を取得する取得手段と、
前記反射部によって反射されてから前記受光部に受け付けられるまでの光の経路の少なくとも一部を、前記搬送により通過する前記物体を、前記出力値に基づいて検出する第１検出手段と、
前記反射部による光の反射率が低下していることを、前記物体が前記搬送経路上で停止している間に前記受光部によって受け付けられた光に基づく少なくとも一部の前記出力値に基づかず、前記物体が前記搬送経路上で移動している間に前記受光部によって受け付けられた光に基づく前記出力値に基づいて検出する第２検出手段と、
を有することを特徴とする。